(57)【要約】【課題】梁部材が設けられる容器に安定して設けられる蓋部材を提供する。【解決手段】蓋部材７は、平面視略矩形状をなす底壁構成部３と、底壁構成部３の各側辺部に沿って上方に延びる側壁部４と、相対する一対の側壁部４の上辺部間を連結するようにして設けられる梁部材５とを備える容器２に対し、容器２に収容されたワークの上方を覆うとともに、梁部材５の下方に設置される。蓋部材７の上面側には、梁部材５の下辺部の挿入を許容する受容部２２が設けられている。【選択図】      図１
2020158163.tif 000002
【特許請求の範囲】
【請求項１】
平面視略矩形状をなす底壁構成部と、前記底壁構成部の各側辺部に沿って上方に延びる側壁部と、相対する一対の前記側壁部の上辺部間を連結するようにして設けられる梁部材とを備える容器に対し、前記容器に収容されたワークの上方を覆うとともに、前記梁部材の下方に設置される蓋部材であって、
前記蓋部材の上面側には、前記梁部材の下辺部の挿入を許容する受容部が設けられていることを特徴とする蓋部材。
【請求項２】
前記蓋部材は、上下方向に延びる複数の縦壁部を備え、
前記受容部は、前記複数の縦壁部の間を連結する受容底壁部と、前記受容底壁部から上方に突出する複数の規制部とを備え、
前記蓋部材のうち前記梁部材の下面側と対向する部位には、前記受容部よりも前記蓋部材の外縁部側において、前記受容底壁部よりも下方に位置する低領域部が設けられていることを特徴とする請求項１に記載の蓋部材。
【請求項３】
前記蓋部材の外縁部、又は、その近傍において上下方向に延び、前記蓋部材の外縁部に沿って延在する外周壁部と、
前記低領域部に設けられ、前記縦壁部と、前記外周壁部との間を連結する左右一対の連結縦壁部と、前記一対の連結縦壁部の上縁部間を連結する連結天壁部とを具備する連結部とを備えていることを特徴とする請求項２に記載の蓋部材。
【請求項４】
前記蓋部材の外縁部、又は、その近傍において上下方向に延び、前記蓋部材の外縁部に沿って延在する外周壁部を備え、
前記外周壁部は、前記蓋部材の内外方向において所定距離を隔てて対向する内壁部、及び、外壁部と、前記内壁部と前記外壁部との間を連結する横壁部とを備え、
前記低領域部は、前記蓋部材のうち前記梁部材の下面側と対向する部位において、前記外周壁部を含む範囲に設けられ、
前記低領域部における前記外周壁部には、前記蓋部材の外周面を前記蓋部材の内方側に窪ませる窪み部が、前記低領域部の上面側と連続して設けられていることを特徴とする請求項２又は３に記載の蓋部材。
【請求項５】
前記蓋部材の下面側には、前記ワークの上端部の挿入を許容するワーク受容部が設けられ、
前記受容部、及び、前記ワーク受容部は、前記蓋部材を平面視した場合に異なる位置に設けられるとともに、前記受容部と、前記ワーク受容部との間には段差部が設けられていることを特徴とする請求項１乃至４のいずれかに記載の蓋部材。
【請求項６】
前記蓋部材は、前記容器に収容された前記ワークに載置される構成であって、
前記受容部は、階段状をなす階段部、又は、上方に向けて前記受容部を広げる方向に傾斜して延びる傾斜部を備えていることを特徴とする請求項１乃至５のいずれかに記載の蓋部材。
【発明の詳細な説明】
【技術分野】
【０００１】
本発明は、容器に被せられる蓋部材に関するものである。
【背景技術】
【０００２】
従来、ワークを運搬等する場合に、平面視略矩形状の底壁構成部と、底壁構成部の各側辺部から上方に延びる側壁部とを備えて上方に開口する容器に対してワークを収容することが知られている。また、容器の強度を高めるべく、相対する一対の側壁部の上辺部間を連結するようにして梁部材を設けるといった技術がある（例えば、特許文献１等参照。）。
【先行技術文献】
【特許文献】
【０００３】
【特許文献１】実公平５−４４２７３号公報
【発明の概要】
【発明が解決しようとする課題】
【０００４】
ところで、容器に収容されたワークの跳ね上がり等を防止するために、容器に蓋部材を被せることが知られている。しかしながら、上記特許文献１のような梁部材が設けられる容器に対応した蓋部材は存在しなかった。
【０００５】
本発明は上記例示した問題点等を解決するためになされたものであって、その目的は、梁部材が設けられる容器に安定して設けられる蓋部材を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．平面視略矩形状をなす底壁構成部と、前記底壁構成部の各側辺部に沿って上方に延びる側壁部と、相対する一対の前記側壁部の上辺部間を連結するようにして設けられる梁部材とを備える容器に対し、前記容器に収容されたワークの上方を覆うとともに、前記梁部材の下方に設置される蓋部材であって、
前記蓋部材の上面側には、前記梁部材の下辺部の挿入を許容する受容部が設けられていることを特徴とする蓋部材。
【０００８】
手段１によれば、容器に収容されたワークを覆うようにして蓋部材を設置し、蓋部材の受容部に下辺部を挿入させるようにして梁部材を容器に取付けることで、ワークの上方への変位が、蓋部材を介して、梁部材により規制されることとなる。従って、ワークが容器に収容されて運搬される際に上下に振動等が発生した場合であっても、ワークが容器から上方に飛び出して脱落等してしまうといった事態を防止することができる。さらに、梁部材（の下部）を蓋部材の受容部に収容した相対位置関係とすることで、梁部材に対する蓋部材の水平方向における相対変位を規制することが可能となる。従って、蓋部材の設置状態の安定化等を図ることができ、蓋部材が容器に対して相対変位して、ワークに悪影響を与えたり、蓋部材が容器から外れてしまったり（蓋部材が梁部材とワークとの間から側方にすり抜けてしまったり）するといった事態をより確実に防止することができる。
【０００９】
手段２．前記蓋部材は、上下方向に延びる複数の縦壁部を備え、
前記受容部は、前記複数の縦壁部の間を連結する受容底壁部と、前記受容底壁部から上方に突出する複数の規制部とを備え、
前記蓋部材のうち前記梁部材の下面側と対向する部位には、前記受容部よりも前記蓋部材の外縁部側において、前記受容底壁部よりも下方に位置する低領域部が設けられていることを特徴とする手段１に記載の蓋部材。
【００１０】
手段２によれば、蓋部材のうち梁部材の下面側と対向する部位において受容部よりも蓋部材の外縁部側に低領域部が設けられることで、蓋部材の上方に梁部材を設置する作業や、梁部材を側壁部に固定する作業を行う際に、該作業を行う作業者の手や工具等の作業用のスペースを確保することができる。従って、梁部材を容器に取付けたり、取外したりする際の作業性の向上を図ることができる。尚、前記低領域部は、前記梁部材の側方の空間と連通していることとしてもよい。この場合、本手段２の作用効果がより確実に奏される。
【００１１】
手段３．前記蓋部材の外縁部、又は、その近傍において上下方向に延び、前記蓋部材の外縁部に沿って延在する外周壁部と、
前記低領域部に設けられ、前記縦壁部と、前記外周壁部との間を連結する左右一対の連結縦壁部と、前記一対の連結縦壁部の上縁部間を連結する連結天壁部とを具備する連結部とを備えていることを特徴とする手段２に記載の蓋部材。
【００１２】
手段３によれば、蓋部材の低領域部に対応する部位の強度を高めることができ、蓋部材の変形等を抑止することができる。従って、蓋部材の変形に起因して受容部から梁部材が抜け出すといった事態を防止することができ、蓋部材と、梁部材との位置ずれをより確実に防止することができる。
【００１３】
尚、連結部は、低領域部が複数存在するような場合に、強度を高める必要のある低領域部に対して適宜設けられていればよく、連結部のない低領域部が存在してもよい。
【００１４】
手段４．前記蓋部材の外縁部、又は、その近傍において上下方向に延び、前記蓋部材の外縁部に沿って延在する外周壁部を備え、
前記外周壁部は、前記蓋部材の内外方向において所定距離を隔てて対向する内壁部、及び、外壁部と、前記内壁部と前記外壁部との間を連結する横壁部とを備え、
前記低領域部は、前記蓋部材のうち前記梁部材の下面側と対向する部位において、前記外周壁部を含む範囲に設けられ、
前記低領域部における前記外周壁部には、前記蓋部材の外周面を前記蓋部材の内方側に窪ませる窪み部が、前記低領域部の上面側と連続して設けられていることを特徴とする手段２又は３に記載の蓋部材。
【００１５】
手段４によれば、外周壁部が蓋部材の内外方向において２層構造とされていることにより、蓋部材の外周部の強度を高めることができ、蓋部材の変形等をより確実に防止することができる。また、低領域部は、蓋部材のうち梁部材の下面側と対向する部位において、外周壁部を含む範囲にまで設けられている。従って、上記手段２の作用効果がより一層奏される。
【００１６】
さらに、低領域部における外周壁部には、低領域部の上面側と連続する窪み部が設けられている。このため、蓋部材のうち梁部材の下面側と対向する部位において、蓋部材の外周面と、容器の側壁部との間に、梁部材を側壁部に固定する固定部材を設置するためのスペースを確実に確保することができる。特に、窪み部が低領域部の上面側と連続していることから、梁部材を側壁部に固定する作業を行うスペースについてもより確保し易くなる。従って、梁部材を容器に取付けたり、取外したりする際の作業性の向上をより一層図ることができる。加えて、蓋部材の外周面が側壁部の内面に対向して近接配置される構成においては、蓋部材の着脱作業に際して、窪み部に対し作業者の手やロボットアーム等を挿入して蓋部材を保持することが可能となり、蓋部材の着脱作業性の向上等を図ることができる。
【００１７】
手段５．前記蓋部材の下面側には、前記ワークの上端部の挿入を許容するワーク受容部が設けられ、
前記受容部、及び、前記ワーク受容部は、前記蓋部材を平面視した場合に異なる位置に設けられるとともに、前記受容部と、前記ワーク受容部との間には段差部が設けられていることを特徴とする手段１乃至４のいずれかに記載の蓋部材。
【００１８】
手段５によれば、蓋部材の下面側にワーク受容部が設けられることで、ワークの水平方向への変位、及び、傾倒変位が、蓋部材を介して、梁部材により規制されることとなる。従って、ワークの収容状態の安定化等を図ることができ、ワークを安定して運搬等することができる。また、受容部と、ワーク受容部との間には段差部が設けられている。このため、例えば、受容部の底面を形成する壁部（受容底壁部）と、ワーク受容部の天井面を形成する壁部とが同一高さで、一部が連続して設けられるような構成に比べ、蓋部材の強度を高めることができる。
【００１９】
手段６．前記蓋部材は、前記容器に収容された前記ワークに載置される構成であって、
前記受容部は、階段状をなす階段部、又は、上方に向けて前記受容部を広げる方向に傾斜して延びる傾斜部を備えていることを特徴とする手段１乃至５のいずれかに記載の蓋部材。
【００２０】
手段６によれば、容器に収容されるワークの高さにばらつきが生じた場合であっても、梁部材の容器への取付位置を微調整し、梁部材と、受容部（階段部、又は、傾斜部）とが当接、又は、近接する相対位置とすることができる。つまり、容器に収容されるワークの高さが設計の高さよりも低くなった場合、梁部材と、蓋部材とが上下に離間し、梁部材の受容部への挿入長が短くなって、蓋部材（ワーク）の上下の振動等を抑え難くなり、蓋部材が外れ易くなる、或いは、ワークが位置ずれする等のことが懸念されるが、梁部材の取付位置を、階段部、又は、傾斜部のより高い位置と当接し得るように調整することで、かかる懸念を払拭することができる。また、容器に収容されるワークの高さが設計の高さよりも高くなった場合、梁部材と、ワークとの間に蓋部材を設置するスペースを確保できなくなってしまうことが懸念されるが、梁部材の取付位置を、階段部、又は、傾斜部のより低い位置と当接し得るように調整することで、かかる懸念を払拭することができる。特に、ワークが（トレーを介在させて）複数段積まれて容器に収容される場合や、容器が複数種類のワークの運搬に使用される場合等には、上記の作用効果がより顕著なものとなる。従って、利便性の向上、及び、汎用性の向上等を図ることができる。
【００２１】
尚、階段部、及び、傾斜部のうち、梁部材の下面に対向する（当接し得る）部位により受容底壁部が構成され、側面に対向する（当接し得る）部位により規制部が構成される。また、階段部、又は、傾斜部を備える構成を採用する場合には、容器に２本の互いに平行して延在する梁部材が設けられ、梁部材の延在方向に対して直交する方向において、一方の梁部材の一側面側と、当該一方の梁部材に対応する受容部（階段部、又は、傾斜部）とが当接、又は、近接して配置され、他方の梁部材の他側面側と、当該他方の梁部材に対応する受容部（階段部、又は、傾斜部）とが当接、又は、近接して配置されることとしてもよい。この場合、蓋部材の水平方向の位置ずれをより確実に防止することができる。
【００２２】
尚、上記各手段に記載された技術思想を、「平面視略矩形状をなす底壁構成部と、前記底壁構成部の各側辺部に沿って上方に延びる側壁部と、相対する一対の前記側壁部の上辺部間を連結するようにして設けられる梁部材とを具備する容器と、前記容器に収容されたワークの上方を覆うとともに、前記梁部材の下方に設置される蓋部材とを備える運搬ユニット」に具現化することとしてもよい。
【図面の簡単な説明】
【００２３】
【図１】運搬ユニットの斜視図である。
【図２】梁部材を取外した状態の運搬ユニットの斜視図である。
【図３】容器の斜視図である。
【図４】容器及びトレーの斜視図である。
【図５】蓋部材の上面側を示す斜視図である。
【図６】蓋部材の下面側を示す斜視図である。
【図７】運搬ユニットの部分拡大斜視図である。
【図８】運搬ユニットの部分拡大平面図である。
【図９】運搬ユニットの部分拡大断面図である。
【図１０】運搬ユニットの部分拡大断面図である。
【図１１】別の実施形態の受容部を示す断面模式図である。
【図１２】別の実施形態の受容部を示す断面模式図である。
【発明を実施するための形態】
【００２４】
以下に、一実施形態について図面を参照して説明する。図１に示すように、運搬ユニット１は、平面視略正方形状をなす底壁構成部３と、底壁構成部３の各側辺部に沿って上方に延びる側壁部４と、相対する一対の側壁部４の上辺部間を連結するようにして設けられる梁部材５とを具備する容器２と、トレー６に載置された形態で容器２に複数段（本例では３段）積み重ねられて収容された図示しないワークの上方を覆うとともに、梁部材５の下方に設置される蓋部材７とを備えている。本実施形態の容器２は金属（例えば、鉄）製のパーツを溶接等することにより構成され、トレー６、及び、蓋部材７はポリエチレンにより一体的に形成されている。
【００２５】
図３等に示すように、底壁構成部３の下面側には、相対する一対の側辺部にそれぞれ沿って延在する四角筒状の脚部１１が下方に突出するようにして設けられている。これにより、一対の脚部１１の間には、フォークリフトのフォーク等を差込み可能なフォーク差込み部１２が形成されている。
【００２６】
梁部材５は、四角筒状の梁本体１５と、梁本体１５の下面の両端部に設けられ、下方、かつ、梁本体１５の長手方向に対して直交する水平方向に開口する側面視略コ字状の固定部１６とを備えている。固定部１６には、略Ｌ字状の固定部材１７を梁本体１５の長手方向に挿通可能とする固定孔１８が設けられている。
【００２７】
これに対し、側壁部４の上部には、前記固定部材１７を挿通可能な図示しない取付孔が設けられている。そして、側壁部４の取付孔と、固定部１６の固定孔１８とを位置合わせし、固定部材１７を容器２の内側から固定孔１８、及び、取付孔に挿通させて先端部を容器２の外側に突出させるとともに、ねじ切り加工された固定部材１７の先端部側に対し、図示しないナットを固定することで、梁部材５が側壁部４に固定される。本実施形態の容器２には、２本の梁部材５が設けられるようになっている。
【００２８】
図２、図４に示すように、トレー６は、平面視略矩形状をなしており、トレー６を横に２つ並べることで、側壁部４の内側に丁度収まる形状をなしている。本実施形態では、各トレー６に１０個のワークが載置されるようになっている。また、上記のように、本実施形態では、トレー６に載置した形態のワークが複数段積み重ねられる構成のため、図４に示すように、トレー６の上面側には、ワークの下部を収容する上面側収容部１９が設けられ、トレー６の下面側には、ワークの上部を収容する下面側収容部（図示略）が設けられている。
【００２９】
さて、図２等に示すように、蓋部材７は、平面視略矩形状をなしており、蓋部材７を横に２つ並べることで、側壁部４の内側に丁度収まる形状をなしている。また、本実施形態の蓋部材７は、トレー６に載置されたワークに対して直接被せられる構成となっている。つまり、図６に示すように、蓋部材７の下面側には、トレー６に載置された１０個のワークの各上端部の挿入をそれぞれ許容するワーク受容部２１が設けられている。各蓋部材７において１０箇所に設けられるワーク受容部２１は、蓋部材７の長手幅方向において互いに所定距離を隔てて５列で並び、蓋部材７の短手幅方向において２列で並ぶようにして設けられている。そして、各ワーク受容部２１にそれぞれワークを挿入させるようにして、蓋部材７をワークの上方に載置することで、蓋部材７がワークに当接して支持されるようになっている。尚、図６の２点鎖線は、ワーク受容部２１に収容されるワークの上部の配置を示している。ワークの上部が、ワーク受容部２１に収容されることで、蓋部材７の長手幅方向におけるワークの一側部、及び、他側部と、ワーク受容部２１とがそれぞれ当接、又は、近接するとともに、蓋部材７の短手幅方向におけるワークの一側部、及び、他側部と、ワーク受容部２１とがそれぞれ当接、又は、近接するようになっている。
【００３０】
また、図１に示すように、２つ横並びで設置される蓋部材７は、その長手幅方向が、梁部材５の長手方向に対して直交する向きに配置される。さらに、図１、図２、図５等に示すように、蓋部材７の上面側には、梁部材５の下辺部の挿入を許容する受容部２２が設けられている。より具体的には、図５、図６、図９、図１０に示すように、蓋部材７は、床面等の設置面に蓋部材７を設置した場合に設置面に接地し、略水平方向に延在するベース部２３と、ベース部２３から上方に延びる複数の縦壁部２４とを備えている。また、図５に示すように、前記受容部２２は、複数の縦壁部２４の上縁部間を連結する受容底壁部２５と、受容底壁部２５から上方に突出する複数の規制部２６とを備えている。
【００３１】
図１、図７、図８、図１０に示すように、容器２に収容されたワークに蓋部材７を被せて、その上方に梁部材５を取付けることで、梁部材５の下部の一部が受容部２２に収容され、梁部材５の下面と、受容底壁部２５とが当接、又は、近接するとともに、梁部材５の一方の側面、及び、他方の側面と、規制部２６とがそれぞれ当接、又は、近接するように構成されている。
【００３２】
加えて、図５、図６等に示すように、蓋部材７には、当該蓋部材７の外縁部においてベース部２３から上方に突出し、蓋部材７の外縁部に沿って延在する外周壁部２８が設けられている。外周壁部２８は、ベース部２３の外縁部から上方に延びる内壁部２９と、内壁部２９の上縁部から蓋部材７の外方側に延びる横壁部３０と、横壁部３０の外縁部から下方に延びる外壁部３１とを備えている。横壁部３０の上面は、規制部２６の上面と同じ高さに構成され、外壁部３１の下縁部は、ベース部２３の下面と同じ高さに構成されている。本実施形態では、容器２に収容されたワークに対し蓋部材７を２つ横並びで被せることで、蓋部材７の外周面（外壁部３１）が、容器２の側壁部４の内面と対向して、近接するように構成されている。
【００３３】
また、図５等に示すように、蓋部材７のうち梁部材５の下面側と対向する部位には、前記受容部２２よりも蓋部材７の外縁部側において、受容底壁部２５よりも下方に位置する低領域部３３が設けられている。つまり、蓋部材７の短手幅方向（梁部材５の長手方向）において、受容部２２と、外壁部３１とが離間して設けられ、その間は低領域部３３となっている。さらに、本実施形態では、低領域部３３は、蓋部材７のうち梁部材５の下面側と対向する部位において、外周壁部２８を含む範囲に設けられている。
【００３４】
加えて、低領域部３３における外周壁部２８には、蓋部材７の外周面を蓋部材７の内方側に窪ませる窪み部３４が、低領域部３３の上面側と連続して設けられている。本実施形態の窪み部３４は、内壁部２９については屈曲させずに、外壁部３１を蓋部材７の内方側に屈曲させるとともに、外壁部３１の屈曲形状に応じて横壁部３０を切り欠くような格好で形成されている。図９に示すように、本実施形態では、梁部材５の固定部１６のうち側壁部４の内面と略当接する部位、及び、固定部材１７の一部が、窪み部３４において、蓋部材７と、側壁部４との間に収められるようになっている。
【００３５】
尚、低領域部３３は、蓋部材７のうち梁部材５の下面側と対向する範囲だけでなく、その両側方の範囲にまで拡張形成されている。これにより、梁部材５が容器２に取付けられた状態においても、梁部材５の側方（空間）から、低領域部３３を介して、梁部材５の下方（蓋部材７との間）に手を挿入させることが可能となる。
【００３６】
また、図５等に示すように、低領域部３３には、ベース部２３から上方に延出し、縦壁部２４と、外周壁部２８（内壁部２９）との間を連結する左右一対の連結縦壁部３７と、一対の連結縦壁部３７の上縁部間を連結する連結天壁部３８とを具備する連結部３６が設けられている。尚、本実施形態の蓋部材７は、長手幅方向中央部を通り、蓋部材７の短手幅方向に延びる仮想直線を中心として線対称形状となっているが、短手幅方向中央部を通り、蓋部材７の長手幅方向に延びる仮想直線を中心とする線対称形状とはなっていない。さらに、上記のように、本実施形態では、蓋部材７を２つ１組で使用する構成であり、蓋部材７の一対の長側辺部のうち、容器２の側壁部４と対向する一方の長側辺部においては、上記のように窪み部３４が形成されるとともに、連結部３６が設けられるものの、相手側の蓋部材７と突き合わせる他方の長側辺部においては、窪み部３４が形成されていない上、連結部３６も設けられていない。
【００３７】
加えて、図６等に示すように、上記ワーク受容部２１に関しても、ベース部２３から上方に突出する部位をワークの上部形状に対応して設けることによって、蓋部材７の下面側に形成されている。また、図５等に示すように、本実施形態では、蓋部材７の各短側辺部に近いワーク受容部２１と、その隣のワーク受容部２１との間の位置に、受容部２２が設けられている。さらに、本実施形態では、蓋部材７のうちワーク受容部２１の天井面を構成している壁部の上面よりも、受容底壁部２５の上面の方が高い位置に設けられている。このため、平面視で、受容部２２と、ワーク受容部２１（ワーク受容部２１が下面側に形成されている部位）とが隣接する部位も存在するが、両者間には、高低差のある受容部２２と、ワーク受容部２１との間を連結する段差部（本例では縦壁部２４）が設けられている。尚、平面視で、受容部２２と、ワーク受容部２１との間にベース部２３が介在する部位に関しては、受容部２２と、ワーク受容部２１との間の上下方向に延びる壁部が段差部に相当する。
【００３８】
以上詳述したように、本実施形態によれば、容器２に収容されたワークを覆うようにして蓋部材７を設置し（トレー６を介在させて複数段積み重ねられたワークに蓋部材７を被せ）、蓋部材７の受容部２２に下辺部を挿入させるようにして梁部材５を容器２に取付けることで、ワークの上方への変位が、蓋部材７を介して、梁部材５により規制されることとなる。従って、ワークが容器２に収容されて運搬される際に上下に振動等が発生した場合であっても、ワークが容器２から上方に飛び出して脱落等してしまうといった事態を確実に防止することができる。さらに、梁部材５（の下部）を蓋部材７の受容部２２に収容した相対位置関係とすることで、梁部材５に対する蓋部材７の水平方向における相対変位を規制することができる。従って、蓋部材７の設置状態の安定化等を図ることができ、蓋部材７が容器２に対して相対変位して、ワークに悪影響を与えたり、蓋部材７が容器２から外れてしまったり（蓋部材７が梁部材５とワークとの間から側方にすり抜けてしまったり）するといった事態をより確実に防止することができる。
【００３９】
また、蓋部材７のうち梁部材５の下面側と対向する部位には、受容部２２よりも蓋部材７の外縁部側において、受容底壁部２５よりも下方に位置する低領域部３３が設けられている。このため、蓋部材７の上方に梁部材５を設置する作業や、梁部材５を側壁部４に固定する作業を行う際に、該作業を行う作業者の手や工具等の作業用のスペースを確保することができる。従って、梁部材５を容器２に取付けたり、取外したりする際の作業性の向上を図ることができる。
【００４０】
さらに、低領域部３３に設けられ、縦壁部２４と、外周壁部２８との間を連結する連結部３６が設けられている。このため、蓋部材７の低領域部３３に対応する部位の強度を高めることができ、蓋部材７の変形等を抑止することができる。従って、蓋部材７の変形に起因して受容部２２から梁部材５が抜け出すといった事態を防止することができ、蓋部材７と、梁部材５との位置ずれをより確実に防止することができる。
【００４１】
加えて、蓋部材７の外周壁部２８が蓋部材７の内外方向において２層構造とされていることにより、蓋部材７の外周部の強度を高めることができ、蓋部材７の変形等をより確実に防止することができる。また、低領域部３３は、蓋部材７のうち梁部材５の下面側と対向する部位において、外周壁部２８を含む範囲にまで設けられている。従って、梁部材５の着脱作業性の向上を図るといった上記作用効果がより一層奏される。
【００４２】
さらに、低領域部３３における外周壁部２８には、低領域部３３の上面側と連続する窪み部３４が設けられている。このため、蓋部材７のうち梁部材５の下面側と対向する部位において、蓋部材７の外周面と、容器２の側壁部４との間に、梁部材５を側壁部４に固定する固定部材１７を設置するためのスペースを確実に確保することができる。特に、窪み部３４が低領域部３３の上面側と連続していることから、梁部材５を側壁部４に固定する作業を行うスペースについてもより確保し易くなる。従って、梁部材５を容器２に取付けたり、取外したりする際の作業性の向上をより一層図ることができる。加えて、蓋部材７の外周面が側壁部４の内面に近接配置される構成においては、蓋部材７の着脱作業に際して、窪み部３４に対し作業者の手やロボットアーム等を挿入して蓋部材７を保持することが可能となり、蓋部材７の着脱作業性の向上等を図ることができる。
【００４３】
また、蓋部材７の下面側にワーク受容部２１が設けられることで、ワークの水平方向への変位、及び、傾倒変位が、蓋部材７を介して、梁部材５により規制されることとなる。従って、ワークの収容状態の安定化等を図ることができ、ワークを安定して運搬等することができる。さらに、受容部２２と、ワーク受容部２１との間には段差部（本例では縦壁部２４等）が設けられている。このため、例えば、受容部２２の底面を形成する壁部（受容底壁部２５）と、ワーク受容部２１の天井面を形成する壁部とが同一高さで、一部が連続して設けられるような構成に比べ、蓋部材７の強度を高めることができる。
【００４４】
尚、上記実施形態の記載内容に限定されず、例えば次のように実施してもよい。勿論、以下において例示しない他の応用例、変更例も当然可能である。
【００４５】
（ａ）図１１に示すように、受容部２２が階段状をなす階段部４１を備えるように構成してもよい。また、図１２に示すように、受容部２２が上方に向けて該受容部２２を広げる方向に傾斜して延びる傾斜部４２を備えるよう構成してもよい。
【００４６】
これらの構成を採用する場合、容器２に収容されるワークの高さにばらつきが生じた場合であっても、梁部材５の容器２への取付位置を微調整し、梁部材５と、受容部２２（階段部４１、又は、傾斜部４２）とが当接、又は、近接する相対位置とすることができる。つまり、容器２に収容されるワークの高さが設計の高さよりも低くなった場合、梁部材５と、蓋部材７とが上下に離間し、梁部材５の受容部２２への挿入長が短くなって、蓋部材７（ワーク）の上下の振動等を抑え難くなり、蓋部材７が外れ易くなる、或いは、ワークが位置ずれする等ことが懸念されるが、梁部材５の取付位置を、階段部４１、又は、傾斜部４２のより高い位置と当接し得るように調整することで、かかる懸念を払拭することができる。また、容器２に収容されるワークの高さが設計の高さよりも高くなった場合、梁部材５と、ワークとの間に蓋部材７を設置するスペースを確保できなくなってしまうことが懸念されるが、梁部材５の取付位置を、階段部４１、又は、傾斜部４２のより低い位置と当接し得るように調整することで、かかる懸念を払拭することができる。特に、ワークが（トレー６を介在させて）複数段積まれて容器２に収容される場合や、容器２が複数種類のワークの運搬に使用される場合等には、ワークの高さにばらつきが生じ易く、上記の作用効果がより顕著なものとなる。従って、利便性の向上、及び、汎用性の向上等を図ることができる。
【００４７】
尚、階段部４１、及び、傾斜部４２のうち、梁部材５の下面に対向する（当接し得る）部位により受容底壁部が構成され、側面に対向する（当接し得る）部位により規制部が構成される。また、階段部４１、又は、傾斜部４２を備える構成を採用する場合には、容器２に２本の互いに平行して延在する梁部材５が設けられ、梁部材５の延在方向に対して直交する方向において、一方の梁部材５の一側面側と、当該一方の梁部材５に対応する受容部２２（階段部４１、又は、傾斜部４２）とが当接、又は、近接して配置され、他方の梁部材５の他側面側と、当該他方の梁部材５に対応する受容部２２（階段部４１、又は、傾斜部４２）とが当接、又は、近接して配置されることとしてもよい。この場合、蓋部材７の水平方向の位置ずれをより確実に防止することができる。
【００４８】
さらに、梁部材５の側壁部４への取付位置を調整可能とする構成については特に限定されるものではなく、例えば、側壁部４に設けられ、固定部材１７が挿通される取付孔を側壁部４の横幅方向に長い長孔としてもよいし、側壁部４に対し等間隔で複数の取付孔が設けられてもよいし、側壁部４に取付孔が設けられていなくても、固定部１６、及び、固定部材１７により、側壁部１７を挟持する格好で取付可能に構成されてもよい。
【００４９】
（ｂ）上記実施形態では、蓋部材７が２つ１組で使用されているが、１つの蓋部材で容器２に収容されたワークの全体の上方を覆うように構成してもよいし、３つ以上の蓋部材で容器２に収容されたワークの全体の上方を覆うように構成してもよい。
【００５０】
また、上記実施形態では、蓋部材７を平面視した場合に、受容部２２と、ワーク受容部２１とが異なる位置に（重複することなく）設けられているが、受容部２２の少なくとも一部がワーク受容部２１と重複した位置に設けられること（受容部２２の反対面側にワーク受容部２１が設けられている）としてもよい。尚、ワーク受容部２１を省略することも可能である。
【００５１】
（ｃ）上記実施形態では、低領域部３３が蓋部材７の外周縁にまで形成されているが、例えば、受容部２２と、外周壁部２８との間にのみ低領域部３３が設けられるような構成としてもよい。また、低領域部３３や窪み部３４を省略することも可能である。但し、低領域部３３を設けることで、梁部材５の着脱作業性が飛躍的に向上し、窪み部３４を設けることで、梁部材５を側壁部４に取付けるための構成に関する利便性の向上、及び、蓋部材７の着脱作業性の向上を図ることができることから、低領域部３３や窪み部３４を設けることが望ましい。
【００５２】
（ｄ）上記実施形態では、蓋部材７はポリエチレンにより構成されているが、ポリプロピレン、ＰＥＴ、ポリアミド等その他の樹脂材料により構成されることとしてもよい。また、例えば、蓋部材と、トレーとが、同形状で同一の大きさをなすような構成としてもよい。
【符号の説明】
【００５３】
１…運搬ユニット、２…容器、３…底壁構成部、４…側壁部、５…梁部材、６…トレー、７…蓋部材、１５…梁本体、１６…固定部、１７…固定部材、２１…ワーク受容部、２２…受容部、２４…縦壁部、２５…受容底壁部、２６…規制部、２８…外周壁部、２９…内壁部、３０…横壁部、３１…外壁部、３３…低領域部、３４…窪み部、３６…連結部、４１…階段部、４２…傾斜部。
【図１】
2020158163.tif 000003
【図２】
2020158163.tif 000004
【図３】
2020158163.tif 000005
【図４】
2020158163.tif 000006
【図５】
2020158163.tif 000007
【図６】
2020158163.tif 000008
【図７】
2020158163.tif 000009
【図８】
2020158163.tif 000010
【図９】
2020158163.tif 000011
【図１０】
2020158163.tif 000012
【図１１】
2020158163.tif 000013
【図１２】
2020158163.tif 000014